(57)【要約】【課題】ディスクドライブユニットを備え、キャビネットからの熱によるディスクドライブユニットの温度上昇を抑制すると共に、ディスクドライブユニットを十分に冷却することが可能なように構成された表示装置を提供する。【解決手段】前側に表示面１１ａを有する表示部１と、表示部１の後側を覆うキャビネット２と、キャビネット２の後側に設けられたディスクドライブユニット４１と、ディスクドライブユニット４１の後側を覆うカバー４２とを備え、キャビネット２の内部に自然対流が生じるように構成してある表示装置であって、バックキャビネット２２には、キャビネット２２の内部とカバー４１の内部とを連通する連通孔２６が設けてある。キャビネット２内の自然対流により、カバー４２の内部の空気が連通孔２６からバックキャビネット２２の内部に吸い出されるから、ディスクドライブユニット４１の周囲に対流を生じさせて冷却することができる。【選択図】図２
2010178215.tif 000002
【特許請求の範囲】
【請求項１】
前側に表示面を有する表示部と、該表示部の後側を覆うキャビネットと、該キャビネットの後側に設けられ、情報記録媒体に対する読込及び／又は書込を行うディスクドライブユニットと、該ディスクドライブユニットの後側を覆うカバーとを備え、前記キャビネットの内部に自然対流が生じるように構成してある表示装置であって、前記キャビネットには、該キャビネットの内部と前記カバーの内部とを連通する連通孔が設けてあることを特徴とする表示装置。
【請求項２】
前記カバーには、前記連通孔と離隔して貫通孔が設けてあることを特徴とする請求項１に記載の表示装置。
【請求項３】
前記キャビネットの内側に設けられ、前記表示部を後側から支持するシャーシを備えており、前記キャビネット及びシャーシの少なくとも一方には、他方に向けて突設された凸部が前記連通孔の近傍に設けてあることを特徴とする請求項１又は２に記載の表示装置。
【請求項４】
前記キャビネット内の前記連通孔の近傍には熱良導体が設けてあることを特徴とする請求項１又は２に記載の表示装置。
【請求項５】
前記熱良導体と前記キャビネットにより囲繞された空間内に前記連通孔と前記キャビネットの排気口が臨むように前記熱良導体が設けられていることを特徴とする請求項４に記載の表示装置。
【請求項６】
前記連通孔は、後側から前側に向けて、上向きに傾斜していることを特徴とする請求項１から５の何れか一つに記載の表示装置。
【請求項７】
前記キャビネット及びディスクドライブユニットは前後に離隔して対向させてあることを特徴とする請求項１から６の何れか一つに記載の表示装置。
【発明の詳細な説明】
【技術分野】
【０００１】
本発明は、情報記録媒体に対する読込及び／又は書込を行う装置を備える表示装置に関する。
【背景技術】
【０００２】
液晶表示装置、プラズマ表示装置等の表示装置は、画像を表示する表示面を前側に有する表示部と、該表示部の後側に配され、表示部に電力を供給する電源回路部品及び表示部を駆動する駆動回路部品等の電子部品と、前記表示部及び電子部品を収容するキャビネットとを備えている。キャビネットは、表示部の周縁部を前側から取囲む前分体であるフロントキャビネットと、前記表示部の後側を覆う後分体であるバックキャビネットとからなる。
【０００３】
近年、表示装置の大型化及び薄型化が進んでいる。これに伴って、表示装置内部の発熱部品とキャビネットとの間の隙間が狭くなり、キャビネットの内部が高温になりやすく、前記電子部品等に悪影響を与える虞がある。このため、発熱部品からの熱による表示装置内部の温度上昇を抑制すべく、一般に、バックキャビネットの下部に吸気口を、バックキャビネットの上部に排気口を夫々設け、キャビネットの内部を自然対流（又は強制対流）により空冷するように構成してある。なお、発熱部品は、プラズマ表示装置においては、電源回路部品等の電子部品であり、液晶表示装置においては、表示部の表示面を有する表示パネルの後側に設けられ、該表示パネルに光を照射する光源と、電源回路部品、光源を駆動する駆動回路部品等の電子部品である。
【０００４】
また、大型化及び薄型化と並行して、周辺機器の機能を備えるように多機能化された表示装置が多数商品化されている。このような表示装置として、ＤＶＤ（デジタルビデオディスク）、ＨＤＤ（ハードディスクドライブ）、又はＢＤ（ブルーレイディスク）等の情報記憶媒体に対する読込及び／又は書込を行う再生機能又は録画再生機能を有するＤＶＤ、ＨＤＤ、又はＢＤ装置等のディスク装置を内蔵する表示装置がある。ディスク装置の本体部分であるディスクドライブユニットを表示装置に内蔵する場合、様々なレイアウトが考えられる。表示面寸法に対する表示装置の正面視の外観の大きさを維持するように内蔵する方が美観上好ましく、この場合、ディスクドライブユニットは表示装置のバックキャビネット内に配置されることになる。ところがディスクドライブユニットは、ディスク上の信号をレーザー等により高精度に読み書きするピックアップ部を備えており、このピックアップ部は他の構成部品よりも耐熱温度が低い。このため、ディスクドライブユニットを冷却するように構成された表示装置が提案されている（例えば、特許文献１参照）。
【０００５】
特許文献１に開示された表示装置は、表示部の後側を支持するシャーシの後面にディスクドライブユニットが取付けられ、該ディスクドライブユニット及び表示部の後側を覆うキャビネットを構成するバックキャビネットの下部に吸気口を、上部に排気口を夫々有し、前記シャーシのディスクドライブユニットと対向する部分に貫通孔を有しており、吸気口から貫通孔を介して排気口に至る通風路が形成されるように構成してある。これにより、表示装置内部の発熱部品からの熱により、バックキャビネットの内部、特にディスクドライブユニット周辺に自然対流が生じ、この自然対流によりディスクドライブユニットが冷却されるから、ディスクドライブユニットを冷却する放熱構造を低コストにて実現することができる。
【先行技術文献】
【特許文献】
【０００６】
【特許文献１】特開２００７−１１０２００号公報
【発明の概要】
【発明が解決しようとする課題】
【０００７】
ところで、近年の薄型化の進展に伴って、厚みが１０ｃｍ以下の表示装置も増加している。このような表示装置においては、表示装置内の発熱部品同士がさらに前後に近接配置されることになる。このため、例えば、周囲温度が３５℃になる場合、バックキャビネットの内部の温度が７０℃程度、バックキャビネットの温度が６０℃程度に達する場合もある。一方、ディスクドライブユニットのピックアップ部は、例えば、性能を維持可能な耐熱温度が６０℃である製品もある。
【０００８】
このため、バックキャビネットの内側にディスクドライブユニットを配置している特許文献１に係る表示装置においては、表示装置使用時の発熱部品の温度上昇によりバックキャビネットの内部の温度が約７０℃まで上昇するため、シャーシからの伝熱、又は輻射熱によりディスクドライブユニットの温度も上昇し、ピックアップ部の温度が耐熱温度を超えてしまい、ディスクドライブユニットの動作条件を満足できないという問題があった。
【０００９】
そこで、表示装置のバックキャビネットの内部よりも低温であるバックキャビネットの後面側にディスクドライブユニットを配置することが考えられる。しかしながら、表示装置の薄型化を図るべく、ディスクドライブユニットをバックキャビネットの後面に近接させて設ける必要があり、バックキャビネットの温度は、前述した如く、６０℃程度に達する場合があることから、ディスクドライブユニットの温度が耐熱温度を超えてしまう虞がある。
【００１０】
本発明は斯かる事情に鑑みてなされたものであり、ディスクドライブユニットを備え、キャビネットからの熱によるディスクドライブユニットの温度上昇を抑制すると共に、ディスクドライブユニットを十分に冷却することが可能なように構成された表示装置を提供することを目的とする。
【課題を解決するための手段】
【００１１】
本発明に係る表示装置は、前側に表示面を有する表示部と、該表示部の後側を覆うキャビネットと、該キャビネットの後側に設けられ、情報記録媒体に対する読込及び／又は書込を行うディスクドライブユニットと、該ディスクドライブユニットの後側を覆うカバーとを備え、前記キャビネットの内部に自然対流が生じるように構成してある表示装置であって、前記キャビネットには、該キャビネットの内部と前記カバーの内部とを連通する連通孔が設けてあることを特徴とする。
【００１２】
本発明にあっては、表示部の後側を覆うキャビネットの内部と、該キャビネットの後側に設けられたディスクドライブユニットの後側を覆うカバーの内部とを連通する連通孔が設けてある。表示装置が使用状態にある場合、表示装置内の発熱部品からの熱により温められたキャビネット内の空気が上昇して自然対流が生じる。このキャビネットの内部の自然対流により、カバーの内部の空気が連通孔からキャビネットの内部に吸い出されることになるから、ディスクドライブユニットを冷却することができる。
【００１３】
本発明に係る表示装置は、前記カバーには、前記連通孔と離隔して貫通孔が設けてあることが好ましい。
【００１４】
本発明にあっては、カバーに連通孔と離隔して貫通孔が設けてあり、カバーの内部の空気が連通孔からキャビネットの内部に吸い出される一方、カバーの内部に表示装置外部の空気が貫通孔から流入する対流がカバーの内部に生じるから、ディスクドライブユニットを十分に冷却することができる。
【００１５】
本発明に係る表示装置は、前記キャビネットの内側に設けられ、前記表示部を後側から支持するシャーシを備えており、前記キャビネット及びシャーシの少なくとも一方には、他方に向けて突設された凸部が前記連通孔の近傍に設けてあることが好ましい。
【００１６】
本発明にあっては、キャビネットの内側に設けられ、表示部を後側から支持するシャーシ、及びキャビネットの少なくとも一方に、他方に向けて突設された凸部を連通孔の近傍に設けてあるから、自然対流の通路である通風路が、凸部が設けられた部分にて狭められ、この狭い部分において、自然対流の流れが速くなり、圧力が低下する。この結果、カバーの内部の空気を連通孔から吸い出す圧力が大となるから、さらに冷却効果を大きくすることができる。
【００１７】
本発明に係る表示装置は、前記キャビネット内の前記連通孔の近傍には熱良導体が設けてあることが好ましい。
【００１８】
本発明にあっては、キャビネット内の連通孔の近傍に熱良導体が設けてあるから、キャビネットの内部で自然対流する空気を連通孔の近傍にて熱良導体により加温することができ、連通孔の近傍における自然対流を加速することができる。この結果、カバーの内部の空気が連通孔からキャビネットにより一層吸い出されることになるから、ディスクドライブユニットをより一層冷却することができる。
【００１９】
本発明に係る表示装置は、前記熱良導体と前記キャビネットにより囲繞された空間内に前記連通孔と前記キャビネットの排気口が臨むように前記熱良導体が設けられていることが好ましい。
【００２０】
本発明にあっては、熱良導体とキャビネットにより囲繞された空間内に連通孔とキャビネットの排気口が臨むように熱良導体を設けている。表示装置が使用状態にある場合、発熱部品からの熱が熱良導体を介して熱良導体とキャビネットにより囲繞された空間内の空気に伝達されて該空間内の空気が温められて熱良導体に沿った上昇流が生じる。この結果、温められた空気は排気口からキャビネットの外部に流出する一方、カバーの内部の空気が連通孔からキャビネットに吸い出される。熱良導体の近傍に該熱良導体に臨むように連通孔が設けてあるから、連通孔の近傍における自然対流を加速することができる。この結果、カバーの内部の空気が連通孔からキャビネットにより一層吸い出されることになるから、ディスクドライブユニットをより一層冷却することができる。
【００２１】
本発明に係る表示装置は、前記連通孔は、後側から前側に向けて、上向きに傾斜していることが好ましい。
【００２２】
本発明にあっては、後側から前側に向けて、上向きに傾斜する連通孔を設けているから、表示装置の使用開始時の自然対流の流れが遅いときに、キャビネット内の空気が連通孔からカバーの内部に逆流することを防ぐことができ、キャビネットからの熱によるディスクドライブユニットの温度上昇を抑制することができる。
【００２３】
本発明に係る表示装置は、前記キャビネット及びディスクドライブユニットは前後に離隔して対向させてあることが好ましい。
【００２４】
本発明にあっては、キャビネット及びディスクドライブユニットを前後に離隔して対向させてある。これによりキャビネットの熱がディスクドライブユニットに熱伝導により伝達されないから、ディスクドライブユニットの温度上昇を抑制することができる。また、表示装置内の発熱部品からの熱によりキャビネット及びディスクドライブユニット間にある空気が温められて上昇流が生じ、この温められた空気は前述したように連通孔からキャビネットの内部に流入する。この結果、キャビネットの熱がディスクドライブユニットに伝達されることを防ぎつつ、ディスクドライブユニットを効果的に冷却することができる。
【発明の効果】
【００２５】
本発明によれば、キャビネットからの熱によるディスクドライブユニットの温度上昇を抑制すると共に、ディスクドライブユニットを十分に冷却することができる。
【図面の簡単な説明】
【００２６】
【図１】本発明の実施の形態１に係る表示装置の模式的外観斜視図である。
【図２】本発明の実施の形態１に係る表示装置の模式的断面図である。
【図３】バックキャビネットの連通孔近傍の拡大断面図である。
【図４】ディスクドライブ部近傍の拡大断面図である。
【図５】本発明の実施の形態２に係る表示装置の模式的部分断面図である。
【図６】本発明の実施の形態３に係る表示装置の模式的部分断面図である。
【発明を実施するための形態】
【００２７】
以下、本発明をその実施の形態を示す図面に基づいて、液晶表示装置、所謂液晶テレビジョンを例にして詳述する。
（実施の形態１）
図１は、本発明の実施の形態１に係る表示装置の模式的外観斜視図である。図２は、本発明の実施の形態１に係る表示装置の模式的断面図である。
【００２８】
図中１は、表示部であり、表示部１は、画像を表示する表示面１１ａをその前面に有する液晶パネル１１と、該液晶パネル１１の後側に配置された拡散板等の光学シート１２とを備えている。
【００２９】
表示部１の後側には、表示部１に光を照射するバックライト部１４が設けてある。バックライト部１４は、前側が一面開口の矩形の皿形を成し、開口の側にて表示部１と一体化してある金属製のシャーシ１４ａと、該シャーシ１４ａの内部に収容保持された複数本のランプ１３とを備えている。
【００３０】
複数本のランプ１３は、前記光学シート１２の後側に上下に並置され、該光学シート１２の側へ光を照射するようにシャーシ１４ａの内部に収容保持されている。なお、ランプ１３は、その両端部に夫々電極を有する略円筒形をなす冷陰極蛍光ランプまたは熱陰極蛍光ランプであり、夫々のランプ１３の両端部の電極を介して電力が供給され、パルス幅変調信号により明るさが制御されるように構成されている。
【００３１】
また、シャーシ１４ａの後面には、複数の電子部品１５ａが実装された回路基板１５がシャーシ１４ａと適長離隔して複数の支柱（図示せず）を介して取付けてある。なお、シャーシ１４ａに設けられる回路基板１５は、表示部１の駆動制御を行う制御回路が実装された制御回路基板、表示部１に表示する画像を処理するメイン回路部品が実装されたメイン回路基板、該メイン回路基板に電力を供給する電源回路部品が実装された電源回路基板、複数のランプ１３に昇圧した電力を供給するインバータトランス等の電子部品が実装されたインバータ回路基板等である。
【００３２】
表示部１の前側には、表示面１１ａの周縁部を取り囲むように矩形枠状のフロントキャビネット２１が被嵌してある。フロントキャビネット２１には、深皿形をなし、表示部１の後側を覆うバックキャビネット２２が嵌合してあり、フロントキャビネット２１と共に表示部１を収容するキャビネット２を構成している。キャビネット２の内部に収容される表示部１は、スタンド３により起立状態にて支持してある。
【００３３】
バックキャビネット２２の下部には、外部の空気をバックキャビネット２２内に吸気する吸気口２３が設けてある。一方、バックキャビネット２２の上部には、該バックキャビネット２２内の空気を外部へ排気する排気口２４が設けてある。
【００３４】
このバックキャビネット２２は、回路基板１５及びシャーシ１４ａの後面と前後に適長離隔して対向するように設けてある。これにより生じる回路基板１５及びシャーシ１４ａとバックキャビネット２２の後面との間の隙間は、前述した吸気口２３及び排気口２４により外部と連通させてあり、これにより吸気口２３から排気口２４に至る通風路が形成される。
【００３５】
バックキャビネット２２の後面の一側上部（表示装置を後側から見た左上部）には、バックキャビネット２２の内側に凹ませてなる略矩形状の凹部２５が設けてあり、凹部２５とディスクドライブユニット４１とが前後に適長離隔して対向するように、ディスクドライブ部４が設けてある。凹部２５とディスクドライブユニット４１とが接触していないから、バックキャビネット２２の熱がディスクドライブユニット４１に熱伝導により伝達されず、バックキャビネット２２からディスクドライブユニット４１への熱伝達を抑制することができる。
【００３６】
また、バックキャビネット２２の凹部２５の上部には、バックキャビネット２２の内部と後述するディスクドライブ部４のカバー４２の内部とを連通する連通孔２６が設けてある。図３は、バックキャビネット２２の連通孔２６近傍の拡大断面図である。連通孔２６は、図に示すように、バックキャビネット２２の後側から前側に向けて上向きに傾斜するように、換言すると、吸気口２３から排気口２４に至る自然対流の通路である通風路の下流側に傾斜するように設けてある。図３の白抜き矢印は空気の上昇流を示す。
【００３７】
図４は、ディスクドライブ部４近傍の拡大断面図である。ディスクドライブ部４は、情報記憶媒体に対する読込及び／又は書込を行うディスクドライブユニット４１と、該ディスクドライブユニット４１の後側を覆うカバー４２と、該カバー４２にディスクドライブユニット４１を取付ける２つの取付金具４３，４３とを備えている。なお、情報記憶媒体として、例えば、ＤＶＤ、ＨＤＤ、又はＢＤ等があるが、本実施の形態においては、ディスクドライブ部４は、ＢＤに対する再生機能又は録画再生機能を有するＢＤドライブ部である。
【００３８】
ディスクドライブユニット４１は、ＢＤの挿入／取出を行う取出口４１ａを一側面に有する扁平な直方体形状を有しており、内部にＢＤ上の信号をレーザー等により高精度に読み書きするピックアップ部（図示せず）を備えている。
【００３９】
取付金具４３は、細長い矩形板部４３ａと、該矩形板部４３ａの一側の長辺の一部から矩形板部４３ａに直交する方向に突設された固定板部４３ｂとを備えている。これら矩形板部４３ａ及び固定板部４３ｂには、夫々貫通孔が設けてある。２つの取付金具４３，４３は、ディスクドライブユニット４１の開口を有する一側面とは異なる対向する二側面に、固定板部４３ｂ，４３ｂが外向きに突設されるように矩形板部４３ａ，４３ａを当接させて、矩形板部４３ａ，４３ａの貫通孔に挿通させた小ネジをディスクドライブユニット４１に設けられた雌ネジに螺合させることにより夫々ディスクドライブユニット４１に取り付けてある。
【００４０】
カバー４２は深皿形をなしている。カバー４２の内側の周壁近傍には、開口の側に突設された複数のボス部４２ａが設けてある。また、カバー４２の周壁の一部には、吸気用の貫通孔４４が設けてある。この貫通孔４４は、ディスクドライブ部４がバックキャビネット２２に取付けられたときに、図４に示すように、ディスクドライブ部４の下方に位置するように設けてある。取付金具４３，４３が取付けられたディスクドライブユニット４１は、取付金具４３，４３の固定板部４３ｂ，４３ｂの貫通孔に挿通させた小ネジ４５をボス部４２ａに設けられた雌ネジに螺合させることによりカバー４２と一体化してある。
【００４１】
このように一体化されたディスクドライブ部４は、小ネジによる螺合又は爪による係合により、バックキャビネット２２の所定の部位（前述したように凹部２５とディスクドライブユニット４１とが前後に適長離隔して対向する位置）にカバー４２にて固定され、バックキャビネット２２とディスクドライブ部４とは隙間なく一体化される。この一体化により、ディスクドライブ部４はカバー４２及びバックキャビネット２２により囲繞される空洞を有する。このディスクドライブ部４の内部は、バックキャビネット２２の凹部２５に設けた連通孔２６によりバックキャビネット２２の内部と連通され、これによりカバー４２の内部には、ディスクドライブ部４の下部に設けられた吸気用の貫通孔４４からディスクドライブ部４の上部に設けられた連通孔２６に至る通風路が形成されることになる。
【００４２】
以上のように構成された本発明に係る表示装置において、表示装置が使用状態にある場合、表示装置のバックキャビネット２２内の回路基板１５に実装された電子部品１５ａ、ランプ１３等の発熱部品からの熱により温められたバックキャビネット２２内の空気が上昇して排気口２４からバックキャビネット２２の外部に流出する一方、吸気口２３からバックキャビネット２２の内部に外部の空気が流入する自然対流（図２中に矢符にて示す）が生じる。このバックキャビネット２２内の自然対流により、バックキャビネット２２の内部の圧力が自然対流の流速に応じて低下する。これにより、連通孔２６にてバックキャビネット２２に連通するカバー４２の内部の圧力よりもバックキャビネット２２の内部の圧力の方が低くなるから、カバー４２内部の空気が連通孔２６からバックキャビネット２２の内部に吸い出され、ディスクドライブユニット４１の周囲に対流を生じさせてディスクドライブユニット４１を冷却することができる。この結果、ディスクドライブユニット４１の温度を耐熱温度以下になるようにすることができる。
【００４３】
カバー４２に連通孔２６と離隔して貫通孔４４を設けているから、カバー４２の内部の空気がバックキャビネット２２の内部に吸い出される一方、カバー４２の内部に表示装置外部の空気が貫通孔４４から流入する対流（図２中に矢符にて示す）が生じる。この対流により、ディスクドライブユニット４１を十分に冷却することができる。ディスクドライブユニット４１が動作状態にある場合、ディスクドライブユニット４１の構成部品からの熱によりディスクドライブユニット４１の周囲を上昇する自然対流が生じる。この自然対流と、前述したバックキャビネット２２の内部に生じる自然対流に伴うカバー４２内部の貫通孔４４から連通孔２６に至る対流とにより、ディスクドライブユニット４１を更に十分に冷却することができる。
【００４４】
バックキャビネット２２及びディスクドライブユニット４１を前後に離隔して対向するように配しているから、表示装置の使用時に、発熱部品からの熱によりバックキャビネット２２を介して該バックキャビネット２２及びディスクドライブユニット４１間にある空気が温められて上昇流が生じ、前述した如く、連通孔２６からバックキャビネット２２の内部に流入する。この結果、バックキャビネット２２内部の発熱部品からの熱がディスクドライブユニット４１に伝達されることを防ぎつつ、ディスクドライブユニット４１を効果的に冷却することができる。
【００４５】
また、連通孔２６をバックキャビネット２２の後側から前側に向けて上向きに傾斜するように設けているから、表示装置の使用開始時の自然対流の流れが遅いときに、換言すると、連通孔２６にて連通されるバックキャビネット２２の内部とカバー４２の内部との圧力差が小であるときに、バックキャビネット２２内の空気が連通孔２６からカバー４２の内部に逆流することを防止することができる。これにより、バックキャビネット２２内の高温の空気がディスクドライブ部４の内部に流入することを防止することができ、ディスクドライブユニット４１の温度を耐熱温度以下に維持することができる。
【００４６】
なお、連通孔２６は、表示装置の横方向（幅方向）に適長に亘って設けてあることが望ましい。連通孔２６として、例えば、複数の円孔を横方向（幅方向）に適長離隔してディスクドライブ部４と略同一幅に亘って設けてもよいし、ディスクドライブ部４の幅と略同一長さを有する一つの長孔を設けてもよい。もちろん、円孔を一つのみ設けるようにしてもよい。この場合においても、カバー４２の内部の空気がバックキャビネット２２の内部に吸い出されるから、前述した効果が得られる。
【００４７】
（実施の形態２）
図５は、本発明の実施の形態２に係る表示装置の模式的部分断面図である。バックキャビネット２２のディスクドライブ部４よりも下側には、外部の空気をバックキャビネット２２内に吸気する吸気口２３ａが設けてある。一方、バックキャビネット２２の上部には、バックキャビネット２２内の空気を外部へ排気する排気口２４ａが設けてある。シャーシ１４ａの連通孔２６に対向する部分には、バックキャビネット２２に向けて突設され、シャーシ１４ａの後面とバックキャビネット２２との間の間隔を狭くする円錐台形状の凸部１６が設けてある。凸部１６は、シャーシ１４ａの後面に平行をなす絞り部１６ａと、該絞り部１６ａとシャーシ１４ａの後面とを滑らかに接続する傾斜面１６ｂとを有している。凸部１６は、連通孔２６に整合させて表示装置の上下方向及び横方向（幅方向）の適長に亘って形成してある。なお、凸部１６は、絞り部１６ａが連通孔２６と略同一寸法以上になるように設けてあればよい。その他の構成は、図２に示す実施の形態１と同様であるため、対応する構成部材に図２と同一の参照符号を付して、その構成の詳細な説明を省略する。
【００４８】
以上のように構成された実施の形態２に係る表示装置においては、バックキャビネット２２の内部に生じる自然対流の吸気口２３ａから排気口２４ａに至る通風路が、凸部１６が設けられた部分にて狭められることになる。これにより、凸部１６が設けられた部分において、自然対流の流れが速くなり、圧力が低下する。この結果、連通孔２６にて連通されるバックキャビネット２２の内部とカバー４２の内部との圧力差が大となり、カバー４２の内部の空気を連通孔２６から吸い出す圧力が大となるから、さらに冷却効果を大きくすることができる。
【００４９】
なお、本実施の形態においては、シャーシ１４ａに凸部１６を設けているが、バックキャビネット２２にシャーシ１４ａに向けて突設されるように凸部を設けてもよい。この場合、例えば、連通孔２６が凸部の絞り部の略中央に位置するように凸部を形成する。また、シャーシ１４ａとバックキャビネット２２の両方に、互いに対向するように凸部を設けてもよい。
【００５０】
また、本実施の形態においては、連通孔２６に対向する部分に凸部１６を設けているが、これに限定されず、連通孔２６の近傍における自然対流の流速を大とすべく、通風路の流路断面積が連通孔２６の近傍において狭くなるように設けてあればよい。通風路の連通孔２６よりも上流側又は下流側に設けてもよい。これにより、連通孔２６近傍の通風路を流れる自然対流の流速が大となるから、カバー４２の内部の空気を連通孔２６から吸い出す圧力を大とすることができ、前述の効果を得ることができる。
【００５１】
（実施の形態３）
図６は、本発明の実施の形態３に係る表示装置の模式的部分断面図である。バックキャビネット２２の上部には、発熱部品にて発生した熱により温められ、連通孔２６の近傍の空気を温める熱良導体２７が表示装置の横方向（幅方向）の適長に亘って設けてある。熱良導体２７は、連通孔２６に前後に離隔して対向し、表示装置の上下方向に延びる垂直板部２７ａと、該垂直板部２７ａの下端から斜め下方に延び、延設端が凹部２５に固定してある傾斜板部２７ｂとを有している。垂直板部２７ａは、上端部にてバックキャビネット２２の周壁上部に固定してある。熱良導体２７は、熱伝導率の大きな材料製であり、例えば、アルミニウム、銅、鉄等の金属製である。バックキャビネット２２の上部には、熱良導体２７の垂直板部２７ａを挟んだ前後に、バックキャビネット２２内の空気を外部へ排気する第１排気口２４ｂ及び第２排気口２４ｃが夫々設けてある。その他の構成は、図４に示す実施の形態１と同様であるため、対応する構成部材に図４と同一の参照符号を付して、その構成の詳細な説明を省略する。
【００５２】
以上のように構成された実施の形態３に係る表示装置においては、表示装置が使用状態にある場合、発熱部品からの熱により温められたバックキャビネット２２内の空気が上昇して第１排気口２４ｂ及び第２排気口２４ｃからバックキャビネット２２の外部に流出する一方、吸気口２３からバックキャビネット２２の内部に外部の空気が流入する自然対流が生じる。このバックキャビネット２２内の自然対流により、前述した如く、カバー４２の内部の空気が連通孔２６からバックキャビネット２２の内部に吸い出され、ディスクドライブユニット４１の周囲に対流が生じてディスクドライブユニット４１が冷却される。
【００５３】
本実施の形態に係る表示装置においては、バックキャビネット２２内の連通孔２６の近傍に熱良導体２７が設けてあるから、発熱部品にて発生した熱が、バックキャビネット２２を介して熱伝導により、又は輻射熱により熱良導体２７に伝達されて熱良導体２７が温められ、熱良導体２７が連通孔２６の近傍の空気を温める。この結果、自然対流によりバックキャビネット２２の内部を上昇する空気が、連通孔２６の近傍に設けられた熱良導体２７により加温される。この加温により、連通孔２６の近傍における自然対流が加速され、連通孔２６にて連通されるバックキャビネット２２の内部とカバー４２の内部との圧力差が一層大きくなる。この結果、カバー４２の内部の空気が連通孔２６からバックキャビネット２２により一層吸い出されることになるから、ディスクドライブユニット４１をより一層冷却することができる。熱良導体２７に金属等の熱伝導率の大きな材料を用いているから、発熱部品からの熱を熱良導体２７により連通孔２６の近傍の空気に効率良く伝達することができ、自然対流を促進して、冷却効果を高めることができる。この結果、ディスクドライブユニット４１の温度を耐熱温度以下になるようにすることができる。
【００５４】
なお、本実施の形態において、熱良導体２７は、表示装置の上下方向に延びる垂直板部２７ａと、該垂直板部２７ａの下端から斜め下方に延びる傾斜板部２７ｂとを有してなるが、熱良導体の形状はこれに限定されず、発熱部品からの熱を効率良く連通孔２６近傍の空気に伝達可能な形状であればよい。熱良導体の形状は、例えば、棒状であってもよい。
【００５５】
また、連通孔２６から第２排気口２４ｃに至る通風路を囲繞するように、熱良導体２７の両側に側壁を有していてもよい。垂直板部２７ａ、傾斜板部２７ｂの幅方向端部には側壁（図示せず）が延設され、側壁はバックキャビネット２２に固定してある。すなわち、熱良導体２７とバックキャビネット２２により囲繞された空間には連通孔２６と排気口２４ｃが臨んでいる。この構成においては、表示装置が使用状態にある場合、発熱部品からの熱が熱良導体２７を介して熱良導体２７とディスクドライブユニット４１との間にある空気に伝達され、この熱良導体２７及びディスクドライブユニット４１間の空気が温められて熱良導体２７に沿った上昇流が生じる。この結果、温められた空気は第２排気口２４ｃから表示装置の外部に流出する一方、カバー４２の内部の空気が連通孔２６からバックキャビネット２２に吸い出されると共に、自然対流により貫通孔４４から外部の空気がカバー４２の内部に流入する。ディスクドライブユニット４１の動作中に発生する熱がカバー４２の内部の空気を温めるため、カバー４２の内部の自然対流を促進させ、このカバー４２の内部の自然対流によりディスクドライブユニット４１を十分に冷却することができる。熱良導体２７に熱伝導率の大きな材料を用いているから、発熱部品からの熱を熱良導体２７とディスクドライブユニット４１との間にある空気に効率良く伝達することができ、自然対流を促進して、冷却効果を高めることができる。この結果、ディスクドライブユニット４１の温度を耐熱温度以下になるようにすることができる。
【００５６】
なお、以上の実施の形態においては、ディスクドライブ部４の下部に吸気用の貫通孔４４を、ディスクドライブ部４の上部に連通孔２６を夫々設けているが、これに限定されず、貫通孔と連通孔とを離隔して設け、ディスクドライブユニット４１の周囲を流れ、貫通孔から連通孔に至る対流を生ぜしめることが可能なように構成してあればよい。連通孔は、ディスクドライブ部４の上部が好ましいが、中央部でも前述した効果を得ることができる。また、貫通孔をディスクドライブ部の上部に設け、ディスクドライブユニットに自然対流を導く通気路を設けることにより、貫通孔から連通孔に至る対流を生ぜしめることができ、同様の効果が得られる。また、貫通孔及び連通孔を、上下方向の位置を同一にして、表示装置の横方向（幅方向）に離隔させて設けても同様である。
【００５７】
また、以上の実施の形態においては、全長に亘って孔径が同一である連通孔２６をバックキャビネット２２の後側から前側に向けて上向きに傾斜するように設けているが、連通孔２６の形状はこれに限定されず、ディスクドライブ部４の内部にバックキャビネット２２側の空気が流入しにくい形状であればよい。例えば、連通孔の上側部分のみ傾斜させてあればよい。
【００５８】
また、以上の実施の形態においては、バックキャビネット２２に孔状の吸気口及び排気口を設けているが、吸気口及び排気口の形状及び設置位置はこれに限定されず、キャビネット２の内部に自然対流が生じるように構成してあればよい。例えば、フロントキャビネット２１とバックキャビネット２２との間に隙間を設けることにより自然対流が通過可能なように構成してもよい。バックキャビネット２２ではなくフロントキャビネット２１に吸気口及び／又は排気口を設けてもよい。
【００５９】
また、以上の実施の形態において、表示装置として液晶テレビジョンを例に説明したが、これに限定されず、液晶テレビジョン以外の液晶表示装置、プラズマ表示装置、ＥＬディスプレイ等の表示装置にも適用可能であり、その他、特許請求の範囲に記載した事項の範囲内において種々変更した形態にて実施することが可能であることは言うまでもない。
【符号の説明】
【００６０】
１  表示部
１１ａ  表示面
１４ａ  シャーシ
１６  凸部
２  キャビネット
２１  フロントキャビネット
２２  バックキャビネット
２３，２３ａ  吸気口
２４，２４ａ  排気口
２４ｂ  第１排気口
２４ｃ  第２排気口
２６  連通孔
２７  熱良導体
４  ディスクドライブ部
４１  ディスクドライブユニット
４２  カバー
４４  貫通孔
【図１】
2010178215.tif 000003
【図２】
2010178215.tif 000004
【図３】
2010178215.tif 000005
【図４】
2010178215.tif 000006
【図５】
2010178215.tif 000007
【図６】
2010178215.tif 000008